(57)【要約】様々な通信システムが、最適化、例えばシグナリング最適化の恩恵を受ける。例えば、無線通信システムによっては、シグナリング最適化のためのページングの強化によって恩恵を受ける。好適な実施形態の一例は、ページングメッセージへの応答としてユーザ装置によって使用される手続を、ネットワーク要素によって特定することと；前記方法はまた、前記ネットワーク要素から前記ユーザ装置へ前記手続を示すことを含むことができる。【選択図】図３
2019517752.tif 000002
【特許請求の範囲】
【請求項１】
ページングメッセージへの応答としてユーザ装置によって使用される手続を、ネットワーク要素によって特定することと；
前記ネットワーク要素から前記ユーザ装置へ前記手続を示すことと；
を含む、方法。
【請求項２】
前記手続を示すことは、前記ページングメッセージ中で示すことか、専用のシグナリングで示すことを含む、請求項１に記載の方法。
【請求項３】
前記示すことは明示的な標示を含む、請求項１に記載の方法。
【請求項４】
前記明示的な標示は、無線リソース制御接続設定要求、無線リソース制御接続再開要求、無線リソース制御接続再確立要求のいずれかを用いることの標示を含む、請求項３に記載の方法。
【請求項５】
前記明示的な標示は、システム情報上で送信されるか、アタッチ手続中に送信される、請求項３に記載の方法。
【請求項６】
前記手続は、前記ユーザ装置のコンテキストの利用可能性に基づいて特定される、請求項１に記載の方法。
【請求項７】
前記手続は、以前の接続がどのように中断したかに基づいて特定される、請求項１に記載の方法。
【請求項８】
前記示すことは非明示的な標示を含む、請求項１に記載の方法。
【請求項９】
前記非明示的な標示は、制御プレーンを介するデータ、ユーザプレーンを介するデータ、ノーマルデータ、スモールデータ、短い接続、高優先度データ、低優先度データ、シグナリングの少なくともいずれかを含む、請求項８に記載の方法。
【請求項１０】
ページングメッセージへの応答として使用される手続を示す情報を受信することと；
前記情報に基づいて、前記ページングメッセージに応答することと；
を含む、方法。
【請求項１１】
前記情報は、前記ページングメッセージ中で受信するか、専用のシグナリングで受信する、請求項１０に記載の方法。
【請求項１２】
前記情報は明示的な標示を含む、請求項１０に記載の方法。
【請求項１３】
前記明示的な標示は、無線リソース制御接続設定要求、無線リソース制御接続再開要求、無線リソース制御接続再確立要求のいずれかを用いることの標示を含む、請求項１２に記載の方法。
【請求項１４】
前記明示的な標示は、システム情報上で受信されるか、アタッチ手続中に受信される、請求項１２に記載の方法。
【請求項１５】
前記情報は非明示的な標示を含む、請求項１０に記載の方法。
【請求項１６】
前記ページングメッセージに応答することは、シグナリング手続の選択を含み、ここで前記選択は、前記ページングメッセージ中の明示的な標示を要せず、サービングセルにおける前記ユーザ装置のコンテキストの利用可能性に基づいて行われる、請求項１５に記載の方法。
【請求項１７】
少なくとも一つのプロセッサと；
コンピュータプログラムコードを含む少なくとも一つのメモリと；
を備える装置であって、前記少なくとも一つのメモリ及び前記プログラムコードは、前記少なくとも一つのプロセッサを用いて前記装置に少なくとも、
ページングメッセージへの応答としてユーザ装置によって使用される手続を、ネットワーク要素によって特定することと；
前記ネットワーク要素から前記ユーザ装置へ前記手続を示すことと；
を遂行させる、装置。
【請求項１８】
前記手続を示すことは、前記ページングメッセージ中で示すことか、専用のシグナリングで示すことを含む、請求項１７に記載の装置。
【請求項１９】
前記示すことは明示的な標示を含む、請求項１７に記載の装置。
【請求項２０】
前記明示的な標示は、無線リソース制御接続設定要求、無線リソース制御接続再開要求、無線リソース制御接続再確立要求のいずれかを用いることの標示を含む、請求項１９に記載の装置。
【請求項２１】
前記明示的な標示は、システム情報上で送信されるか、アタッチ手続中に送信される、請求項１９に記載の装置。
【請求項２２】
前記手続は、前記ユーザ装置のコンテキストの利用可能性に基づいて特定される、請求項１７に記載の装置。
【請求項２３】
前記手続は、以前の接続がどのように中断したかに基づいて特定される、請求項１７に記載の装置。
【請求項２４】
前記示すことは非明示的な標示を含む、請求項１７に記載の装置。
【請求項２５】
前記非明示的な標示は、制御プレーンを介するデータ、ユーザプレーンを介するデータ、ノーマルデータ、スモールデータ、短い接続、高優先度データ、低優先度データ、シグナリングの少なくともいずれかを含む、請求項２４に記載の装置。
【請求項２６】
少なくとも一つのプロセッサと；
コンピュータプログラムコードを含む少なくとも一つのメモリと；
を備える装置であって、前記少なくとも一つのメモリ及び前記プログラムコードは、前記少なくとも一つのプロセッサを用いて前記装置に少なくとも、
ページングメッセージへの応答として使用される手続を示す情報を受信することと；
前記情報に基づいて、前記ページングメッセージに応答することと；
を遂行させる、装置。
【請求項２７】
前記情報は、前記ページングメッセージ中で受信するか、専用のシグナリングで受信する、請求項２６に記載の装置。
【請求項２８】
前記示すことは明示的な標示を含む、請求項２６に記載の装置。
【請求項２９】
前記明示的な標示は、無線リソース制御接続設定要求、無線リソース制御接続再開要求、無線リソース制御接続再確立要求のいずれかを用いることの標示を含む、請求項２８に記載の装置。
【請求項３０】
前記明示的な標示は、システム情報上で受信されるか、アタッチ手続中に受信される、請求項２８に記載の装置。
【請求項３１】
前記示すことは非明示的な標示を含む、請求項２６に記載の装置。
【請求項３２】
前記ページングメッセージに応答することは、シグナリング手続の選択を含み、ここで前記選択は、前記ページングメッセージ中の明示的な標示を要せず、サービングセルにおける前記ユーザ装置のコンテキストの利用可能性に基づいて行われる、請求項３１に記載の装置。
【発明の詳細な説明】
【技術分野】
【０００１】
様々な通信システムが、最適化、例えばシグナリング最適化の恩恵を受ける。例えば、無線通信システムによっては、シグナリング最適化のためのページングの強化によって恩恵を受ける。
【背景技術】
【０００２】
3GPP（Third generation partnership project）は、狭帯域IoT（NB-IoT）及び信号量削減のためのワークアイテム（work item; Wi）を有している。この信号量削減は、UE主導によるモビリティ（UE centric mobility）及びネットワークへの"軽い"接続（Light Connection）を通じて行われる。
【０００３】
狭帯域IoT及び信号量削減のどちらの場合も、UEは、無線リソース制御接続（RRC接続）が保たれるモードにあるが、アイドル状態にあるのと同じようにセル再選択を行い、セルを移動することが可能である。NB-IoTにおいて、このような機能は、接続の中断や再開のシグナリングを定義することによって実装される。移動端末で受け取られる（mobile terminated; MT）データ送信に関し、接続の中断後、当該接続は、まずページングメッセージの送信があり、続いて接続再開手続が行われることによって、再開される。
【０００４】
Light Connection (LC)は、UE主導によるモビリティモードに入るために使用するシグナリングが何であるか、また、通常のRRC接続状態にどのように戻るかについては、規定していない。中断や再開のためのシグナリングをLCに実装することは、一つの可能性ではある。しかし、LCのWIの主要な目標は、シグナリングの負荷を最小にすることである。従って、接続の中断や再開のためにメッセージをやり取りすることは、制御シグナリングの最適化には繋がらないかもしれない。
【０００５】
その代わりに、LC手続は既存のシグナリングを使ってもよいかもしれない。LC手続は、LCモードに自発的に入ることを可能にしてもよく、また、シグナリングを再確立して自発的にRRC接続に戻ることを可能にしてもよい。
【０００６】
図１は、UEがLC接続状態にいるときの、MTデータのためのシグナリングの例を描いたものである。図１に描かれるように、UEは初めRRC接続状態にあり、eNB#1を通じてデータ接続を有している。その後、データ送信が終了し、UEは、LC接続状態に入ることを指示される。UEコンテキストは、UEとeNB#1の両方に格納される。
【０００７】
LC接続状態の間、UEは、eNB#1からeNB#2へのセル再選択を行うかもしれない。この再選択は、MME/SGWへの通知なしで生じうる。
【０００８】
ある時点において、MTデータが到着する。そこで、S-GWは、MMEを介してUEに向けてページングを開始することができる。このページングは、eNB#1を介して行うこともできるし、セルのクラスタを介して行うこともできる。このクラスタには、例えばeNB#2を含むことができる。
【０００９】
従ってUEは、RRC接続再確立要求（RRC Connection Re-Establishment Request）を送信することができる。そして接続再確立は、eNB#2への通信と共に進められることができる。この手続は、無線リンク喪失（radio link failure; RLF）を示す情報をeNB#1に提供すること、及び、UEコンテキストと共にハンドオーバー要求を受信することを含むことができる。続いて、MME/S-GWは、eNB#2への通信を認識することができ、ダウンリンク経路を切り替え、eNB#2を通じてRRC及びデータ接続を提供することができる。
【００１０】
代替的なシグナリングとして、UEが、ページングへの応答として、接続再開要求を送信するというものがある。NB-IOTにおいては、それに続いて、元のサービングセルからコンテキスト要求が行われる。図２は、NB-IOTにおける接続再開の例を描いている。
【００１１】
図２に描かれるように、UEはRRC接続再開要求（RRC Connection Resume Request）を、新しいeNBに送信する。すると新しいeNBは、元のeNBからUEのコンテキストを読み出し、MMEへ、切り替え要求を送信することができる。それに加えて新しいeNBは、元のeNBへ、コンテキスト解放メッセージを送信することができる。
【発明の概要】
【００１２】
ある実施形態によれば、方法は、ページングメッセージへの応答としてユーザ装置によって使用される手続を、ネットワーク要素によって特定することを含むことができる。前記方法はまた、前記ネットワーク要素から前記ユーザ装置へ前記手続を示すことを含むことができる。
【００１３】
ある実施形態によれば、方法は、ページングメッセージへの応答として使用される手続を示す情報を受信することを含むことができる。前記方法はまた、前記情報に基づいて前記ページングメッセージに応答することを含むことができる。
【００１４】
ある実施形態によれば、装置は、少なくとも一つのプロセッサと、コンピュータプログラムコードを含む少なくとも一つのメモリとを備えることができる。前記少なくとも一つのメモリ及び前記コンピュータプログラムコードは、前記少なくとも一つのプロセッサを用いて、前記装置に少なくとも、ページングメッセージへの応答としてユーザ装置によって使用される手続を、ネットワーク要素によって特定することをさせてもよい。前記少なくとも一つのメモリ及び前記コンピュータプログラムコードは、前記少なくとも一つのプロセッサを用いて、前記装置に、前記ネットワーク要素から前記ユーザ装置へ前記手続を示すことをさせてもよい。
【００１５】
ある実施形態によれば、装置は、少なくとも一つのプロセッサと、コンピュータプログラムコードを含む少なくとも一つのメモリとを備えることができる。前記少なくとも一つのメモリ及び前記コンピュータプログラムコードは、前記少なくとも一つのプロセッサを用いて、前記装置に少なくとも、ページングメッセージへの応答として使用される手続を示す情報を受信することをさせてもよい。前記少なくとも一つのメモリ及び前記コンピュータプログラムコードは、前記少なくとも一つのプロセッサを用いて、前記装置に、前記情報に基づいて前記ページングメッセージに応答することを含むことをさせてもよい。
【００１６】
ある実施形態によれば、装置は、ページングメッセージへの応答としてユーザ装置によって使用される手続を、ネットワーク要素によって特定する手段を備えることができる。前記装置はまた、前記ネットワーク要素から前記ユーザ装置へ前記手続を示す手段を備えることができる。
【００１７】
ある実施形態によれば、装置は、ページングメッセージへの応答として使用される手続を示す情報を受信する手段を備えることができる。前記装置はまた、前記情報に基づいて前記ページングメッセージに応答する手段を備えることができる。
【００１８】
ある実施形態によれば、コンピュータプログラムプロダクトは、処理を実行するための命令をエンコードすることができる。こうした処理は前述の方法の何れを含んでもよい。
【００１９】
また実施形態によっては、ハードウェアで実行されると処理を行う命令で符号化された非一時的コンピュータ可読媒体も提供される。こうした処理は前述の方法の何れを含んでもよい。
【図面の簡単な説明】
【００２０】
本発明を適切に理解するため、添付図面を参照する。
【図１】UEがLC接続状態にいるときの、MTデータのためのシグナリングの例を描いたものである。
【図２】NB-IOTにおける接続再開の例を描いている。
【図３】特定の実施形態に従う方法を示す。
【図４】特定の実施形態に従うシステムを示す。
【詳細説明】
【００２１】
ある実施形態は、シグナリングを最小に抑えるために、また、特定のＵＥ機能を利用するために、適切なシグナリング手続を動的に選択することを可能にしうる。そのような選択は、旧来からのオペレーションに制限されることなく、行われてもよい。更に、ある実施形態は、ネットワークが適切な手続を選択できるようにすることを可能にする。例えば、ＵＥコンテキストが利用可能でない可能性がある場合や、以前のセルからＵＥコンテキストをフェッチできない場合などに、そのようにすることを可能にする。
【００２２】
更に、実施形態によっては、ページングメッセージは、ページングに応答して使用される手続を示すように拡張されることができる。ネットワークは、Uuインタフェースを通じて送信されるページングメッセージの中に適切な標示を含めることで、望ましいシグナリング手続を続けるよう、ＵＥに指示することができる。ページングの中で標示することは、明示的なメカニズムを使って実現してもよいし、非明示的なメカニズムを使って実現してもよい。
【００２３】
例えば、NB-IOT UEは、RRC接続設定要求やRRC接続再開要求やRRC再確立要求を使って、標示を含むページングを受けてもよい。または、これよりは動的ではないが、UEは、このような標示を、例えば、システム情報ブロック（system information block；SIB）やATTACH、RRCの専用シグナリングを使って受信してもよい。
【００２４】
RRC接続設定要求手続は、ＵＥコンテキストが利用可能でない場合やフェッチできない場合などに、使用することができる。RRC接続再開シグナリングは、その他の場合に使用することができる。
【００２５】
別の例では、LC状態のUEは、以前の接続を中断するために明示的なメッセージが使用された場合は、接続再開シグナリングを進めるように指示されることもできる。またLC状態のUEは、接続再確立手続を使って進めるように指示されることもできる。後者の場合は、LC領域の全ての無線アクセスネットワークノード（例えばeNB）が、関連するコンテキスト要求/応答シグナリングを含む接続中断/再開手続をサポートしていない訳ではない場合に重要である。（そのようなコンテキスト要求/応答シグナリングは、格納されたコンテキストを参照するために特定の再開IDを使う。）
【００２６】
非明示的なメカニズムを使うこともできる。例えばＵＥは、ページングへの応答として使用する手続を、ページングメッセージ中の様々な標示に基づいて決定することができる。
【００２７】
例えば、非明示的な標示として、コントロールプレーン（CP）を介したデータの標示を使用することができる。この場合、UE応答は、RRC接続要求（RRC Connection Request）でありうる。代替として、非明示的な標示は、ユーザープレーン（UP）を介したデータの標示であることができる。この場合、UE応答は、RRC接続再開要求（RRC Connection Resume Request）でありうる。別の例では、非明示的標示は、ノーマルデータの標示であることができる。この場合、UE応答は、UEのRRC接続が中断されていたかどうかに応じて、RRC接続要求か、RRC接続再開要求であることができる。
【００２８】
非明示的標示の別の例としては、スモールデータや短い接続の標示がある。この場合、UE応答は、CPを解するデータのための、RRC接続再開要求でありうる。
【００２９】
更なる非明示的標示の例としては、高優先度/低優先度のデータがある。例えばUEのRRC接続が中断されていたかどうか、又は例えば、種々のメカニズムをサポートするUEの機能性に応じて、UEは、様々な応答タイプを選択することができる。
【００３０】
非明示的標示の更に別の例は、先行するシグナリングやUEの機能性に関連しうる。UEのRRC接続が中断されていたかどうか、又は、種々のメカニズムをサポートするUEの機能性に応じて、様々な応答タイプが利用可能である。
【００３１】
標示によってUEにより使用されうる様々な手続が存在する。例えば、当該手続はRRC接続設定であることができる。その場合UEは、ページングへの応答としてRRC接続要求を送信することができる。別の例では、当該手続はRRC接続再開を含むことができる。UEは、ページングへの応答としてRRC接続再開要求を送信することができる。さらに別の例では、当該手続はRRC接続再開であることができる。UEは、ページングへの応答としてRRC接続再開要求を送信することができる。他の手続も可能である。
【００３２】
シグナリング手続の選択は、サービングセル（例えばページングを行うセル）におけるコンテキストの利用可能性をUEが認識しているかどうかに依存することができる。この選択は、ページングメッセージ中で明示的な標示がなくても行われることができる。上記の利用可能性は、サービングセルに格納されているコンテキストであることができる。また、以前のサービングセルからコンテキストをフェッチできる可能性であることができる。いずれの場合においても、サービングセルにおいてコンテキストが利用可能であると考えることができる。
【００３３】
図３は、特定の実施形態に従う方法を示す。図３に描かれるように、前記方法は、ステップ３１０において、ページングメッセージへの応答としてユーザ装置によって使用される手続を、ネットワーク要素によって特定することを含むことができる。この手続は、様々な手法で特定されることができる。例えば、UEのコンテキストの利用可能性に基づいて特定されることができる。また例えば、以前の接続がどのように中断されたかに基づいて特定されることができる。
【００３４】
前記方法はまた、ステップ３２０において、前記ネットワーク要素から前記ユーザ装置へ前記手続を示すことを含むことができる。前記手続を示すことは、ページングメッセージの中で行われることができる。または、専用のシグナリングによって行われることができる。前記手続を示すことは、明示的な標示を使って行われることができる。または、非明示的な標示を使って行われることができる。
【００３５】
前記明示的な標示は、無線リソース制御接続設定要求、無線リソース制御接続再開要求、無線リソース制御接続再確立要求のいずれかであってもよい。または、これらを用いることの標示を含んでもよい。
【００３６】
前記非明示的な標示は、制御プレーンを介するデータ、ユーザプレーンを介するデータ、ノーマルデータ、スモールデータ、短い接続、高優先度データ、低優先度データ、シグナリングの少なくともいずれかを含んでもよい。
【００３７】
前記方法は、ステップ３３０において、ページングメッセージへの応答として使用される手続を示す情報を受信することを含むことができる。この情報は、ステップ３２０で送信される標示と同じであってもよい。前述のように、この標示は、ページングメッセージで受信されてもよいし、専用のシグナリングで受信されてもよい。また、明示的なものでもあってもよいし、非明示的なものであってもよい。前記明示的な標示は、無線リソース制御接続設定要求、無線リソース制御接続再開要求、無線リソース制御接続再確立要求のいずれかを用いることの標示を含んでもよい。
【００３８】
前記方法はまた、ステップ３４０において、前記情報に基づいて前記ページングメッセージに応答することを含むことができる。前記ページングメッセージに応答することは、シグナリング手続の選択を含んでもよい。ここで前記選択は、前記ページングメッセージ中の明示的な標示を要せず、サービングセルにおける前記ユーザ装置のコンテキストの利用可能性に基づいて行われてもよい。
【００３９】
図４は、本発明の特定の実施形態に従うシステムを示す。図３のフローチャートの各ブロックが、ハードウェア、ソフトウェア、ファームウェア、１つ又は複数のプロセッサ、回路の何れか又は全てといった種々の手段又はそれらの組合せによって実装可能であることを理解しなくてはならない。ある実施形態において、システムは、ネットワーク要素４１０、ユーザ装置（ＵＥ）又はユーザデバイス４２０等のような複数のデバイスを備えてもよい。本システムは複数のＵＥ４２０及び複数のネットワーク要素４１０を備えてもよいが、図中では説明のためにそれぞれ１つずつのみを示している。ネットワーク要素は、アクセスポイントや基地局、ｅノードＢ（ｅＮＢ）、又は他のネットワーク要素でもよい。
【００４０】
こうしたデバイスの各々は、少なくとも１つのプロセッサ又は制御ユニット若しくはモジュールを備えてもよく、これらはそれぞれ４１４及び４２４で示されている。各デバイスには４１５・４２５でそれぞれ示される少なくとも１つのメモリが具備されてもよい。メモリは、例えば、上述の実施形態を実行するために、コンピュータプログラム命令又はコンピュータコードを格納する。各デバイスには１つ又は複数の送受信機４１６・４２６が具備され、４１７・４２７でそれぞれ示されるアンテナを備えてもよい。各デバイスには１つのアンテナのみが示されているが、複数のアンテナ要素が具備されてもよい。また例えば、こうしたデバイスに関する他の構成が提供されてもよい。例えば、ネットワーク要素４１０とＵＥ４２０が無線通信に加え有線通信用としても追加的に構成されていてもよい。このような場合、アンテナ４１７・４２７は単なるアンテナに限定されることなく、任意の通信ハードウェア形態を示していてもよい。
【００４１】
送受信機４１６・４２６はそれぞれ、独立した送信機又は受信機でもよく、送信機及び受信機の両方でもよく、送受信両方を行うように構成された単一ユニット又はデバイスでもよい。送信機及び受信機の何れか又は両方は、（無線部分が関連している限りにおいて）例えばマスト等、デバイス自体の中に配置されていないリモート無線ヘッドとして実装されてもよい。ノードやホスト、サーバ等の相異なる要素では、「流体」又はフレキシブルな無線概念により柔軟な仕方で動作及び機能が実行されてもよい。換言すれば、分業体制は状況に応じて変化してもよい。一つの可能な使用法は、ネットワーク要素にローカルコンテンツを配信させることである。１つ又は複数の機能が仮想アプリケーションとすて実装されてもよい。この仮想アプリケーションは、サーバで実行可能なソフトウェアとして提供される。
【００４２】
ユーザデバイス又はユーザ装置４２０は、携帯電話やスマートフォン等の移動局（ＭＳ）やマルチメディアデバイス、タブレット等、無線通信機能付きのコンピュータ、無線通信機能付き個人情報端末・携帯情報端末（ＰＤＡ）、ポータブルメディアプレーヤ、デジタルカメラ、ポケットビデオカメラ、無線通信機能付きナビゲーションユニット、又はこれらの中のあらゆる組合せでもよい。ユーザデバイス又はユーザ装置４２０は、センサやスマートメータ、通常単一位置に構成可能な他のデバイスでもよい。
【００４３】
ある例示的実施形態において、ノード又はユーザデバイス等の装置は、図３に関連して前述した実施形態を実行する手段を備えてもよい。
【００４４】
プロセッサ４１４・４２４は、任意の計算処理又はデータ処理デバイスでもよく、例えば、中央処理装置（ＣＰＵ）やデジタルシグナルプロセッサ（ＤＳＰ）、特定用途向け集積回路（ＡＳＩＣ）、プログラマブルロジックデバイス（ＰＬＤ）、フィールドプログラマブルゲートアレイ（ＦＰＧＡ）、デジタル処理回路（digitally enhanced circuit）、若しくは同等のデバイス、又はこれらの組合せでもよい。プロセッサは、単一コントローラとして実装されてもよく、複数のコントローラ又はプロセッサとして実装されてもよい。あるいは、プロセッサがローカル構成やクラウド構成、又はこれらの組合せの中のプロセッサ群として実装されてもよい。
【００４５】
ファームウェア又はソフトウェアの実装形態には、（例えば処理手順、機能等の）少なくとも１つのチップセットのモジュール又はユニットが含まれうる。メモリ４１５・４２５はそれぞれ独立して、非一時的コンピュータ可読媒体のような任意適切な記憶デバイスでもよく、ハードディスクドライブ（ＨＤＤ）やランダムアクセスメモリ（ＲＡＭ）、フラッシュメモリ、又は他の適切なメモリが使用されてもよい。複数のメモリは、プロセッサのように単一の集積回路に統合されていてもよく、別々になっていてもよい。また、コンピュータプログラム命令はメモリに保存され、プロセッサによって処理されてもよく、例えば、任意適切なプログラミング言語で書かれたコンパイル済み又はインタープリット済みコンピュータプログラムのような、あらゆる適切な形態のコンピュータプログラムがありうる。メモリ又はデータ記憶要素は通常内部にあるが、外部に置かれてもよく、あるいは、サービスプロバイダから追加メモリ容量を取得する場合のように、内部と外部の組合せの場合もある。メモリは固定でも取り外し可能でもよい。
【００４６】
メモリ及びコンピュータプログラム命令は、特定のデバイスのプロセッサによって、ネットワーク要素４１０、ＵＥ４２０の何れか又は両方のようなハードウェア装置に前述の処理（例えば、図３を参照）の何れかを実行させるように構成されてもよい。それ故、実施形態によっては、非一時的コンピュータ可読媒体が（ソフトウェアルーチンやアプレット、マクロの追加又は更新のような）コンピュータ命令又は１つ又は複数のコンピュータプログラムで符号化され、ハードウェアで実行されるとき、前述の処理の一つのような処理を実行してもよい。コンピュータプログラムはプログラミング言語でコード化されてもよい。こうした言語は、オブジェクトＣやＣ、Ｃ＋＋、Ｃ＃、Ｊａｖａ（登録商標）等の高級プログラミング言語や、マシン語、アセンブラ等の低級プログラミング言語でもよい。あるいは、本発明の特定の実施形態がハードウェアで完全実行されてもよい。
【００４７】
さらに、図４ではネットワーク要素４１０とＵＥ４２０を含むシステムが示されているが、本発明の実施形態によっては他の構成でも適用可能であり、前述したように追加要素を含む構成でも適用可能である。例えば、複数のユーザ装置と複数のネットワーク要素が存在してもよく、また例えば中継ノードのような、ユーザ装置とアクセスポイントの機能を統合したノード等、同様の機能を提供する他のノードが存在してもよい。
【００４８】
上記の通り、本発明が、開示された順番以外のステップ、開示された構造以外のハードウェア要素の何れか又は両方で実行可能であることは、当業者であれば容易に理解できよう。したがって、本発明は、これら好ましい実施形態に基づいて説明されているが、本発明の主旨及び範囲を逸脱しない限り、一定の改良、変更、代替構成を見出すことは当業者にとって容易であろう。
【００４９】
〔略語一覧〕
NB-IOT：  狭帯域IoT（Narrow Band Internet of Things）
RRC：     無線リソース制御（Radio Resource Control）
MT：      モバイルで受信（Mobile Terminated）
LC：     '軽い'接続（Light Connection）
UE：      ユーザ装置（User Equipment）
Uu：      UEとeNBとの間の無線インタフェース
eNB：     強化ノードB，eNodeB （Enhanced NodeB）
【図１】
2019517752.tif 000003
【図２】
2019517752.tif 000004
【図３】
2019517752.tif 000005
【図４】
2019517752.tif 000006
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
ページングメッセージへの応答としてユーザ装置によって使用される手続を、ネットワーク要素によって特定することと；
前記ネットワーク要素から前記ユーザ装置へ前記手続を示すことと；
を含む、方法。
【請求項２】
前記手続を示すことは、前記ページングメッセージ中で示すことか、専用のシグナリングで示すことを含む、請求項１に記載の方法。
【請求項３】
前記示すことは明示的な標示を含む、請求項１に記載の方法。
【請求項４】
前記明示的な標示は、無線リソース制御接続設定要求、無線リソース制御接続再開要求、無線リソース制御接続再確立要求のいずれかを用いることの標示を含む、請求項３に記載の方法。
【請求項５】
前記明示的な標示は、システム情報上で送信されるか、アタッチ手続中に送信される、請求項３に記載の方法。
【請求項６】
前記手続は、前記ユーザ装置のコンテキストの利用可能性に基づいて特定される、請求項１に記載の方法。
【請求項７】
前記手続は、以前の接続がどのように中断したかに基づいて特定される、請求項１に記載の方法。
【請求項８】
前記示すことは非明示的な標示を含む、請求項１に記載の方法。
【請求項９】
前記非明示的な標示は、制御プレーンを介するデータ、ユーザプレーンを介するデータ、ノーマルデータ、スモールデータ、短い接続、高優先度データ、低優先度データ、シグナリングの少なくともいずれかを含む、請求項８に記載の方法。
【請求項１０】
ページングメッセージへの応答として使用される手続を示す情報を受信することと；
前記情報に基づいて、前記ページングメッセージに応答することと；
を含む、方法。
【請求項１１】
前記情報は、前記ページングメッセージ中で受信するか、専用のシグナリングで受信する、請求項１０に記載の方法。
【請求項１２】
前記情報は明示的な標示を含む、請求項１０に記載の方法。
【請求項１３】
前記明示的な標示は、無線リソース制御接続設定要求、無線リソース制御接続再開要求、無線リソース制御接続再確立要求のいずれかを用いることの標示を含む、請求項１２に記載の方法。
【請求項１４】
前記明示的な標示は、システム情報上で受信されるか、アタッチ手続中に受信される、請求項１２に記載の方法。
【請求項１５】
前記情報は非明示的な標示を含む、請求項１０に記載の方法。
【請求項１６】
前記ページングメッセージに応答することは、シグナリング手続の選択を含み、ここで前記選択は、前記ページングメッセージ中の明示的な標示を要せず、サービングセルにおける前記ユーザ装置のコンテキストの利用可能性に基づいて行われる、請求項１５に記載の方法。
【請求項１７】
処理手段及び記憶手段を備える装置であって、前記記憶手段はプログラム命令を格納し、前記プログラム命令は、前記処理手段に実行されると、前記装置に、請求項１から１６の何れかに記載の方法を遂行させるように構成される、装置。
【請求項１８】
装置の処理手段に実行されると、前記装置に、請求項１から１６の何れかに記載の方法を遂行させるように構成されるプログラム命令を備える、コンピュータプログラム。
【請求項１９】
ネットワーク要素である装置であって、
ページングメッセージへの応答としてユーザ装置によって使用される手続を特定する手段と；
前記ユーザ装置へ前記手続を示す手段と；
を備える、装置。
【請求項２０】
ユーザ装置であって、
ページングメッセージへの応答として使用される手続を示す情報を受信する手段と；
前記情報に基づいて、前記ページングメッセージに応答する手段と；
を備える、装置。
【国際調査報告】
2019517752.tif 000007
2019517752.tif 000008
2019517752.tif 000009
2019517752.tif 000010
2019517752.tif 000011